(57)【要約】      （修正有）【課題】敷き布団敷板装置において、布団類を敷き布団敷板装置の両端部（横部材の木口面）に引っ掛ける恐れのない敷き布団敷板装置を提供する。【解決手段】すのこ状敷板を有する敷布団敷板装置であって、前記すのこ状敷板は横部材と縦部材と保護具を有し、前記横部材の端部が前記保護具における横部材受け部に配置され、当該横部材の表部と前記保護具の表部がほぼ面一となることを特徴とする。【選択図】図１
0003162423.tif 000002
【実用新案登録請求の範囲】
【請求項１】
すのこ状敷板を有する敷布団敷板装置であって、前記すのこ状敷板は横部材と縦部材と保護具を有し、前記横部材の端部が前記保護具における横部材受け部に配置され、当該横部材の表部と前記保護具の表部がほぼ面一となることを特徴とする敷布団敷板装置。
【請求項２】
前記縦部材と前記保護部材をほぼ同様の長さとしたことを特徴とする請求項１記載の敷布団敷き板装置。
【請求項３】
前記保護具は断面視Ｌ字状を呈するとともに当該保護具における受け部に横部材を配置し、当該受け部と保護具における表面部との段差と横部材の厚さがほぼ同一なることを特徴とする請求項１または２記載の敷布団敷板装置。
【請求項４】
すのこ状敷板を有する敷布団敷板装置であって、前記敷布団敷板装置は２個一対すのこ状敷板を有し、当該２個一対の各すのこ状敷板を連結部材で連結し、前記連結部材を屈曲させることにより布団類干しとすることができることを特徴とする請求項１あるいは３いずれか１項に記載の敷布団敷板装置。
【請求項５】
すのこ状敷板を有する敷布団敷板装置であって、前記敷布団敷致装置は２個一対すのこ状敷板を有し、当該２個一対の各すのこ状敷板を分離可能に連結し、各すのこ状敷板を分離した場合に、各すのこ状敷板はそれぞれ布団類干しとすることができることを特徴とする請求項１あるいは３いずれか１項に記載の敷布団敷板装置。
【考案の詳細な説明】
【技術分野】
【０００１】
本考案は、敷布団の下に敷いて使用される敷布団敷板装置に関するものである。
【背景技術】
【０００２】
木材を用いてすのこ状に形成した、敷布団敷と布団類干しを兼ねているものは知られている。例えば、敷布団敷として使用する場合はそれを展開し１つの敷布団敷として使用し、布団干しとして使用する場合は展開したものを再び屈曲させることにより布団干しとして使用するもの、あるいは、２つに分離している各敷板を結合して１台の敷布団敷とし、布団類干しとして使用する場合はその結合を解き１台の敷布団敷を２つに分離することで、別々の布団類干しとするものが知られている。特に特開２００５−６６２４２号公報において、布団類を敷く台として使用する通気性の装置であって、１組の敷布団類に対して、結合して使用する２個１対のすのこ状の敷板を有し、各敷板は、敷布団類を敷くためのすのこ部と、すのこ部を立てて布団類干しに利用可能にするための支え脚部とから成り、２個１対の敷板を分離可能に結合しておくための結合手段を備えて成る布団類干し兼用敷布団敷板装置なる発明が知られている。
【０００３】
しかしながら、前記布団類干し兼用敷布団敷板装置を使用して室内で布団類を敷く場合や干す場合には当該敷布団敷板装置の両端部において横部材の端部である木口面がむき出しになっているために布団を引掛けてしまう場合がある。この場合シーツ類、毛布などが引っ掛かり易いが、場合によっては布団類の表皮が引っ掛かる場合もありその場合に無理に布団類を引っ張ると布団類が破けてしまう場合がある。とくに高価な羽毛布団の場合損失が大きくなるのみならず、羽毛をまき散らす恐れもあり、後始末が大変である。
【０００４】
【特許文献１】特開２００５−０６６２４２号公報
【考案の開示】
【考案が解決しようとする課題】
【０００５】
本考案は前記の点に着目してなされたもので、その課題は、敷布団敷板装置において、布団類を、敷布団敷板装置の両端部（横部材の木口面）に引っ掛ける恐れのない敷布団敷板装置を提供することを課題とする。また、敷布団敷板装置として使用する場合にのみならず、布団類干しと敷布団敷板装置を兼用する場合に、当該兼用する敷布団敷板装置の両端部（横部材の木口面）に引っ掛ける恐れのない布団類干しと兼用する敷布団敷板装置を提供することを課題とする。また、敷布団敷本体の強度を高め、長期間の使用に耐えることを課題とする。また、敷布団敷板装置のみならず、布団干しとしての機能を有するものにも適応することを課題とする。
【課題を解決するための手段】
【０００６】
前記の課題を解決するため、本考案は、すのこ状敷板を有する敷布団敷板装置であって、前記すのこ状敷板は横部材と縦部材と保護具を有し、前記横部材の端部が前記保護具における横部材受け部に配置され、当該横部材の表部と前記保護具の表部がほぼ面一となるという手段を講じたものである。
【０００７】
このように、横部材と保護具の表面がほぼ面一となるため、横部材の端部（木口面）が露出しないこととなり布団類を引っかけることがないものである。また、横部材の表部と保護具の表部がほぼ面一としたのは、横部材の表部が保護具の表部より多少突出したとしても、端部（木口面）が布団類に引っ掛かる恐れを減らせるからである。
【０００８】
前記の課題を解決するため、本考案は、前記縦部材と前記保護部材をほぼ同様の長さとしたという手段を講じたものである。すなわち、保護具と縦部材とがほぼ同様の長さであるため、当該保護具が縦部材としての機能をも有するので、横部材のほぼ中央付近を縦部材で支え、当該横部材の左右両端を当該保護具が支えるという構造となり、保護具は横部材を支える機能を有する。尚、ほぼ同様としたのは、保護具が縦部材としての機能を兼用できる程度に同じという意味である。
【０００９】
前記の課題を解決するため、本考案は、前記保護具は断面視Ｌ字状を呈するとともに当該保護具における受け部に横部材を配置し、当該受け部と保護具における表面部との段差と横部材の厚さがほぼ同一なるという手段を講じたものである。
【００１０】
前記保護具は断面視Ｌ字状を呈しており保護具の受け面に横部材が戴置され、当該受け部と保護具における表面部との段差と、横部材部の厚さがほぼ同一であるために保護具の受け部に横部材を配置した場合に当該横部材の表面と保護具の表面がほぼ面一となる。そのため、横部材の端部が表面側に突出することなく、保護具と横部材との段差が少ないために横部材の端部（木口面）が露出することがない。従って、敷布団敷あるいは布団干しとして使用する場合に布団類が横部材の端部に引っ掛かりにくく、そのために当該布団類が破れにくい。特に布団カバーをしている場合において、その布団カバーにレースなどの装飾が施されている場合に、それに引っ掛かることないので特に効果的である。ここで、ほぼ同一としたのは多少段差があったとしても布団類が引っ掛かる恐れは少ないからである。
【００１１】
また、前記の課題を解決するため、本考案は、すのこ状敷板を有する敷布団敷板装置であって、前記敷布団敷板装置は２個一対すのこ状敷板を有し、当該２個一対の各すのこ状敷板を連結部材で連結し、前記連結部材を屈曲させることにより布団類干しとすることができるという手段を講じたものである。保護部材を布団干し兼用敷布団敷板装置にも適用することができるものである。
【００１２】
また、前記の課題を解決するため、すのこ状敷板を有する敷布団敷板装置であって、前記敷布団敷板装置は２個一対すのこ状敷板を有し、当該２個一対の各すのこ状敷板を分離可能に連結し、各すのこ状敷板を分離した場合に、各すのこ状敷板はそれぞれ布団類干しとすることができるという手段を講じたものである。保護部材を、分離可能な布団干し兼用敷布団敷板装置にも適用することができるものである。
【００１３】
なお、本考案の敷布団敷板装置は、敷布団敷として使用している状態において、布団類にこもる湿気を発散させることができるように、すのこ状に形成したものである。ここで、すのことは竹や板などをすかして貼ったものをいい、板等を張設する場合に隙間が生じていることが好ましい。また、湿気を吸収することができるように木材を使用することができるが、その場合は、桐材を使用することが好ましい。また本敷板装置は、原則として一組の布団類について使用するものであるが、布団類の寸法はシングルサイズからキングサイズ等さまざまなバリエーションがあるためそれに対応することが好ましい。なおここで布団類というのは掛け布団、敷布団はもとより毛布、タオルケット、肌掛け等を含むものである。
【考案の効果】
【００１４】
本考案は、以上の如く構成されるため、保護具を敷布団敷板として使用することができ、すのこ状敷板の端部（横部材の木口面）は、当該保護具と横部材がほぼ面一のため突出することが少なく、布団類が引っ掛かることが少ない。また、保護具は縦部材としての機能を有しているので、部品点数を増加させることがない。また、敷布団敷板装置のみならず、布団干しとしての機能を有する布団類干しと兼用する敷布団敷板装置にも適応することができ、各すのこ状敷板の端部（横部材の木口面）は、保護具と横部材の表面ほぼ面一のため突出すること少なく、布団類が引っ掛かることが少なくなることは上記敷布団敷板敷装置と同様である
【考案を実施するための最良の形態】
【００１５】
以下図示の実施形態を参照して本考案をより詳細に説明する。図１は、敷布団敷板装置の全体斜視図である。図２Ａは、保護具の断面図である。図２Ｂは、保護具の斜視図である。図３は、布団干しとしての機能を有する敷布団敷板装置の全体斜視図である。図４は、図３における敷布団敷板装置を布団類干しとした場合の斜視図である。図５は、図３における敷布団敷板装置を布団類干しとした場合の側面図である。図６は、他の実施例における布団干しとしての機能を有する敷布団敷板装置の全体斜視図である。図７Ａは、他の実施例における一方の敷布団敷板装置を布団類干しとした場合の斜視図である。図７Ｂは、他の実施例における他方の敷布団敷板装置を布団類干しとした場合の斜視図である。図７Ｃは、図７Ａの側面図である。図７Ｄは、図７Ｂの側面図である。
【００１６】
敷布団敷板装置１０は、布団類を敷くためのものであるため布団類とほぼ同じ大きさである。前記敷布団敷板装置１０は縦部材１１と横部材１２と保護具１３とを有するものである。横部材１２は縦部材１１に空気を流通させることができるように隙間をあけて張設され、前記横部材１２の両端部は保護具１３の横部材受け面１４に配置される。縦部材１１と保護具１３とは長さがほぼ同一であるので当該保護具１３は縦部材１１として、敷布団敷板装置１０を支える機能を有するものである。当該保護具１３は断面視ほぼＬ字状を呈し、前記保護具１３の横部材受け面１４と保護具１３の表面１５の段差は、横部材１２の厚さとほぼ同様であるため、横部材１２の端部を保護具１３の横部材受け面１４に配置した場合に、横部材１２の表面１６と前記保護具１３の表面１５とはほぼ面一となる。従って、敷布団敷板装置１０の両端端部（横部材１２の木口面１２ａ）は、突出することがなく、布団類が引っ掛かることがない。尚、横部材１２は縦部材１１あるいは保護具１３とねじｘ等で固定される。
【００１７】
敷布団敷板装置１８は２個一対のすのこ状敷板からなり、一方のすのこ状敷板２０と他方のすのこ状敷板４０を有している。この一方のすのこ状敷板２０と他方のすのこ状敷板４０は、それぞれ敷板装置１０の半分の大きさである。また、一方のすのこ状敷板２０、と他方のすのこ状敷板４０は、結合手段５１によって前記一方のすのこ状敷板２０と、前記他方のすのこ状敷板４０が連結されている。
【００１８】
すのこ状敷板２０は、上下にとなり合う横部材２１あるいは横部材２２を、隙間を開けるように縦部材３０に張設することで空気を流通させることができるように構成されている。横部材２２は、横部材２１よりも横幅が短く構成される。また、横部材２１あるいは横部材２２の端部は、保護具２５の横部材受け面２６に配置される。縦部材３０と保護具２５は長さがほぼ同一であるので当該保護具２５は縦部材３０として、すのこ状敷板２０を支える機能を有するものである。当該保護具２５は断面視ほぼＬ字状を呈し、前記保護具２５の横部材受け面２６と保護具２５の表面２７との段差は、横部材２１、２２の厚さとほぼ同様であるため、横部材２１あるいは横部材２２の端部を保護具２５の横部材受け面２６に配置した場合に、横部材２１、２２の表面２３、２４と前記保護具２５の表面２７とはほぼ面一となる。従って、すのこ状敷板の端部（横部材２１、２２の木口面２１ａ、２２ａ）が、突出することがなく、布団類が引っ掛かることがない。尚、横部材２１、２２は縦部材３０あるいは保護具２５とねじｘ等で固定される。
【００１９】
他の一方のすのこ状敷板４０は、縦部材５０と横部材４１と保護具４５を有し、横部材４１はすべて同じ長さである．保護具４５は上述の保護具２５とほぼ同一であり、横部材４１は縦部材５０に上下に隙間を空けて張設される。縦部材５０と保護具４５は長さがほぼ同一であるので当該保護具４５は縦部材５０として、他の一方のすのこ状敷板４０を支える機能を有するものである。また、当該保護具４５は断面視ほぼＬ字状を呈し、前記保護具４５の横部材受け面４６と当該保護具４５の表面４７の段差は、横部材４１の厚さとほぼ同様であるため、横部材４１の端部を保護具４５の横部材受け面４６に配置した場合に、横部材４１の表面４３と前記保護具４５の表面４７とはほぼ面一となる。従って、すのこ状敷板の端部（横部材４１の木口面）が、突出することがなく、布団類が引っ掛かることがないのは上記と同様である。尚、横部材４１は縦部材５０あるいは保護具４５とねじｘ等で固定される。
【００２０】
すのこ状敷板２０と他の一方のすのこ状敷板４０は連結部５１にて連結され、布団類干しとして使用できる敷布団敷板装置１８となる。ここで、連結部５１は可撓性を有する帯状のもの、たとえば、布製のものが好ましい。当該連結部５１は、すのこ状敷板２０、４０の縦部材３０、５０同士の上端部および保護具２５、４５の上端部において固定されている。固定する手段はねじ、くぎなど公知の手段でなされる。
【００２１】
すのこ状敷板２０は、支持体６０を有する。当該支持体６０は、縦部材６１、６１において、横部材６２を、隙間を空けて張設したものでありその隙間の大きさは、上記すのこ状敷板２０が。支持体６０を受け入れて一体となった場合に、横部材６２と横部材２２とのずれがないように、前記横部材６２と横部材２２との位置を一致させている。
【００２２】
また、支持体６０は、当該支持体６０の下端部にて、すのこ状敷板２０の下部と回動可能に軸６５において軸支されている。従って、敷布団敷板装置１８を、布団類干しとして使用する場合は、すのこ状敷板２０と他の一方のすのこ状敷板４０を連結している連結部５１を屈曲させるとともに、前記一方のすのこ状敷板２０において、軸６５において回動可能に軸支されている支持体６０を倒し（床面に水平になるようにし、）、他方のすのこ状敷板４０の下部における横部材４１を支持体６０における横部材６２と横部材６２の間の空所６３に落とし入れることにより、一方のすのこ状敷板２０と他方のすのこ状敷板４０のなす角度を一定にすることができる。この場合、敷布団敷板装置１０は、側面視ほぼ逆Ｖ字状を呈する状態で床面のおかれ、布団類を干すことができる。またこれをもとの戻す場合は、他方のすのこ状敷板４０の下部における横部材４１を支持体６０における横部材６２と横部材６２の間の空所６３から離脱させたのちに紐状部材６４を上方へ引くことで、すのこ状敷板２０が支持体６０を受け入れて一体とすることができ、再び敷布団敷板装置１８として使用することができる。
【００２３】
他の実施例として、敷布団敷板装置１９についても、布団類を敷くためのものであるため当該布団敷板装置１９は、布団類とほぼ同じ大きさである。敷布団敷板装置１９は２個一対の各すのこ状敷板で構成され、一方のすのこ状敷板７０と他方のすのこ状敷板９０を有する。この一方のすのこ状敷板７０と他方のすのこ状敷板９０は、それぞれ布団敷板装置１９の半分の大きさである。ここで、上記すのこ状敷板７０と他の一方のすのこ状敷板９０はほぼ同一の構成であるので、共通する部分については、すのこ状敷板７０についての説明をすることで、他の一方のすのこ状敷板９０の説明に替え、相違点のみについて、他の一方のすのこ状敷板９０について言及する。
【００２４】
すのこ状敷板７０は、上下において隣り合う横部材７１あるいは横部材７２を、隙間を開けるように縦部材８０に張設することで空気を流通させることができるように構成されている。横部材７２は、横部材７１よりも横幅が短く構成される。また、横部材７１あるいは横部材７２の端部は、保護具７５の横部材受け面７６に配置される。縦部材８０と保護具７５は長さがほぼ同一であるので当該保護具７５は縦部材８０として、すのこ状敷板7０を支える機能を有するものである。
【００２５】
当該保護具７５は断面視ほぼＬ字状を呈し、前記保護具７５の横部材受け面７６と保護具７５の表面７７の段差は、横部材７１、７２の厚さとほぼ同様であるため、横部材７１あるいは横部材７２の端部を保護具７５の横部材受け面７６に配置した場合に、横部材７１、７２の表面７３、７４と前記保護具７５の表面７７とはほぼ面一となる。従って、すのこ状敷板の端部（横部材７１、７２の木口面７１ａ、７２ａ）が、突出することがなく、布団類が引っ掛かることがない。尚、横部材７１、７２は縦部材８０あるいは保護具７５とねじｘ等で固定される。
【００２６】
すのこ状敷板７０は、それ単独で床上に立たせることができる支持部８５を有している。支持部８５は、横部材８６と縦部材８７、横部材８８及び軸部８９を有し、前記軸部８９を中心として回転可能であり、当該軸部８９を中心として開くと、すのこ状敷板７０を支持部８５で支えることができる。また、支持部８５を閉じると、すなわち、すのこ状敷板７０に支持部８５が受け入れられ１体となると、前記横部材８６の両端部は、保護具７５の横部材受け面７６に戴置される。従って、この場合、隣り合う横部材７１同士と同様の隙間を空けて横部材８６と横部材７１が並べられることになる。また、すのこ状敷板７０に支持部８５が受け入れられ一体となる場合において、横部材８８は、横部材７２と一連となり、横部材７１と同様の長さになる。尚、支持体８６を開くと、当該支持体８６における横部材８６の端部（木口面）が露出することになるので、短い保護具を配置することもできる（図示せず）。尚、すのこ状敷板７０と、支持部８５との開く角度は、角度制限部材９１の長さによって任意の角度にすることができる。
【００２７】
また、保護具７５は断面視ほぼＬ字状を呈していることは上述のとおりであるが、前記保護具７５の横部材受け面７６と保護具７５の表面７７の段差は、横部材８６の厚さとほぼ同様であるため、支持部８５を閉じ、横部材８６の端部を保護具７５の横部材受け面７６に配置した場合に、横部材８６の表面８６ｂと前記保護具７５の表面７７とはほぼ面一となり、支持部８５の横部材８６の木口面８６ａが、突出することがなく、布団類が引っ掛かることがない。
【００２８】
他方のすのこ状敷板９０も上記と同様の構成である部分についは、同じ番号を付し説明を省略する。尚連結機構９５について、すのこ状敷板７０においては連結具９６、すのこ状敷板９０においては被連結具９７を有し、敷布団敷板装置として使用する場合は、被連結具９７に連結具９６を結合させることにより、敷布団敷板装置として使用することができる。
【００２９】
このように、就寝時は、敷布団敷として使用でき、敷布団敷として使用していないときは布団類干しとして使用することができるが、そのいずれも横部材の端部（木口面）が表側に突出することなく、布団類を引っかけることがない敷布団敷板装置を提供することができる。尚、敷団敷板装置１０、１８、１９は、合成樹脂でも製作することができるが、木材を使用することが木材工業の活性化を図ることができるため好ましく、より好ましくは軽量であって湿気に適した桐材を使用することが好ましい。また桧材は防虫効果があるのでそれを使用することも好ましい。
【図面の簡単な説明】
【００３０】
【図１】敷布団敷板装置の全体斜視図。
【図２】Ａは、保護具の断面図。Ｂは保護具の斜視図。
【図３】布団干しとしての機能を有する敷布団敷板装置の全体斜視図。
【図４】図３における敷布団敷板装置を布団類干しとした場合の斜視図。
【図５】図３における敷布団敷板装置を布団類干しとした場合の側面図。
【図６】他の実施例における布団干しとしての機能を有する敷布団敷板装置の全体斜視図。
【図７】Ａは、他の実施例における一方の敷布団敷板装置を布団類干しとした場合の斜視図。Ｂは、他の実施例における他方の敷布団敷板装置を布団類干しとした場合の斜視図。Ｃは、図７Ａの側面図。Ｄは図７Ｂの側面図。
【符号の説明】
【００３１】
１０    敷布団敷板装置
１１    縦部材
１２    横部材
１３    保護具
１４    保護具の横部材受け面
１５    保護具の表面
１６    横部材の表面
１８    布団類干しとして使用できる敷布団敷板装置
１９    他の実施例の布団類干しとして使用できる敷布団敷板装置
２０    一方のすのこ状敷板
２１    横部材
２２    横部材
２３    横部材の表面
２４    横部材の表面
２５    保護具
２６    保護具の横部材受け面
２７    保護具の表面
３０    縦部材
４０    他方のすのこ状敷板
５１    連結部
７０    他の実施例の一方のすのこ状敷板
７１    横部材
７２    横部材
７５    保護具
７６    保護具の横部材受け面
７７    保護具の表面
８０    縦部材
９０    他の実施例の他方のすのこ状敷板
【図１】
0003162423.tif 000003
【図２】
0003162423.tif 000004
【図３】
0003162423.tif 000005
【図４】
0003162423.tif 000006
【図５】
0003162423.tif 000007
【図６】
0003162423.tif 000008
【図７】
0003162423.tif 000009